(57)【要約】【課題】  インキ除去作業が簡易に実現できる、インキローラ群を有する印刷機におけるインキ除去装置及びインキ除去方法の提供。【解決手段】印刷機のカバー１５の開口部１５ａ、１５ｂより、ガイド１５ｃ、１５ｄに沿ってインキ除去用紙をインキローラ群１０に当接させ、駆動装置１６を所定量回転させてインキローラ群１０にインキ除去用紙を巻きつけ、所定量巻きつけたところで駆動装置１６を所定量逆転させ、余分なインキを付着させたインキ除去用紙を取り除く。【選択図】図２
2007229970.tif 000002
【特許請求の範囲】
【請求項１】
版胴と、該版胴にインキを供給するインキローラ群とを有し、カバーで覆われる印刷ユニットを備え、該印刷ユニットを駆動する駆動装置と、該駆動装置の回転に同期して出力される出力信号を検知して上記駆動装置の回転量を検出する位置検出器とを備えた印刷機において、上記カバーにはインキ除去用紙を挿入可能とする開口部が設けられており、上記駆動装置を所定量回転させて上記インキ除去用紙を上記インキローラ群に巻き込ませ、その後上記位置検出器による巻き込み時の位置情報を元に上記駆動装置を上記所定量回転に対して逆方向に回転させて上記インキ除去用紙を上記インキローラ群より抜き取るよう、上記駆動装置を駆動する制御装置を設けたことを特徴とする印刷機。
【請求項２】
上記カバー内に設けられ、上記インキ除去用紙の上記開口部への挿入を検知し、上記制御手段へこの検知信号を出力する紙挿入検知器を設け、上記検知信号の出力により上記制御装置が上記駆動装置の上記所定量回転を開始することを特徴とする請求項１記載の印刷機。
【請求項３】
版胴と、該版胴にインキを供給するインキローラ群とを有し、カバーで覆われる印刷ユニットを備え、該印刷ユニットを駆動する駆動装置と、該駆動装置の回転に同期して出力される出力信号を検知して上記駆動装置の回転量を検出する位置検出器とを備えた印刷機で上記インキローラ群の余剰インキを除去する印刷機のインキ除去方法において、上記カバーに設けられた開口部よりインキ除去用紙を挿入し、上記駆動装置を所定量回転させて上記インキ除去用紙を上記インキローラ群に巻き込ませ、その後上記位置検出器による巻き込み時の位置情報を元に上記駆動装置を上記所定量回転に対して逆方向に回転させて上記インキ除去用紙を上記インキローラ群より抜き取るように制御することを特徴とする印刷機のインキ除去方法。
【発明の詳細な説明】
【技術分野】
【０００１】
本発明は、印刷機のインキ過多時において、簡易なインキ除去作業が実現可能な装置及び方法に関するものである。
【背景技術】
【０００２】
インキローラ群を有する印刷機において、何度か版替えを行って印刷を継続することがある。例えば、大きな画像の版を用いて印刷を行った後、小さな画像の版を用いて印刷をする場合、インキローラ群には必要以上のインキが存在するため、インキ過多により、印刷物に不具合が生じることがある。これを防ぐため、インキ取上げロールやスクレーパを用いて余分なインキを除去する技術が提案されている（例えば、特許文献１）。
【０００３】
【特許文献１】特開平４−３０３６５７号公報（図１、図２）
【発明の開示】
【発明が解決しようとする課題】
【０００４】
しかし、従来の方法においては、印刷機能に必要のない、インキ取上げロールやスクレーパを設置する必要があり、装置の大型化やコストの上昇を招くという問題がある。
【０００５】
そこで、本発明は、インキ除去作業が簡易に実現できる、インキローラ群を有する印刷機におけるインキ除去装置及びインキ除去方法を提供することを目的とする。
【課題を解決するための手段】
【０００６】
上記目的を達成するために、本発明は、版胴１１と、該版胴１１にインキを供給するインキローラ群１０とを有し、カバー１５で覆われる印刷ユニット１を備え、該印刷ユニット１を駆動する駆動装置１６と、該駆動装置１６の回転に同期して出力される出力信号を検知して上記駆動装置１６の回転量を検出する位置検出器１７とを備えた印刷機において、上記カバー１５にはインキ除去用紙を挿入可能とする開口部１５ａ、１５ｂが設けられており、上記駆動装置１６を所定量回転させて上記インキ除去用紙を上記インキローラ群１０に巻き込ませ、その後上記位置検出器１７による巻き込み時の位置情報を元に上記駆動装置１６を上記所定量回転に対して逆方向に回転させて上記インキ除去用紙を上記インキローラ群１０より抜き取るよう、上記駆動装置１６を駆動する制御装置１９を設けたことを特徴としている。
【０００７】
また、本発明は、上記カバー１５内に設けられ、上記インキ除去用紙の上記開口部１５ａ、１５ｂへの挿入を検知し、上記制御手段１９へこの検知信号を出力する紙挿入検知器を設け、上記検知信号の出力により上記制御装置１９が上記駆動装置１６の上記所定量回転を開始すること特徴としている。
【０００８】
さらに、本発明は、版胴１１と、該版胴１１にインキを供給するインキローラ群１０とを有し、カバー１５で覆われる印刷ユニット１を備え、該印刷ユニット１を駆動する駆動装置１６と、該駆動装置１６の回転に同期して出力される出力信号を検知して上記駆動装置１６の回転量を検出する位置検出器１７とを備えた印刷機で上記インキローラ群１０の余剰インキを除去する印刷機のインキ除去方法において、上記カバー１５に設けられた開口部１５ａ、１５ｂよりインキ除去用紙を挿入し、上記駆動装置１６を所定量回転させて上記インキ除去用紙を上記インキローラ群１０に巻き込ませ、その後上記位置検出器１７による巻き込み時の位置情報を元に上記駆動装置１６を上記所定量回転に対して逆方向に回転させて上記インキ除去用紙を上記インキローラ群１０より抜き取るように制御することを特徴としている。
【発明の効果】
【０００９】
本発明の請求項１記載の印刷機によれば、カバーの開口部から挿入されたインキ除去用紙をインキローラ群に当接させた後、制御装置により駆動装置を所定量回転させてインキ除去用紙をインキローラ群に巻き込ませ、その後駆動装置を上記所定量回転に対して逆方向に回転させてインキ除去用紙をインキローラ群より抜き取るようにしたので、インキ過多時のインキ除去作業が簡易に行える印刷機を得ることが出来る。
【００１０】
本発明の請求項２記載の印刷機によれば、インキ除去用紙のカバーの開口部への挿入を検知し、制御手段へこの検知信号を出力する紙挿入検知器を設け、この検知信号の出力により制御装置が駆動装置の所定量回転を開始するようにしたので、紙を挿入するだけでインキ除去作業が行え、より、容易にインキ除去作業を行える印刷機を得ることが出来る。
【００１１】
本発明の請求項３記載の印刷機のインキ除去方法によれば、カバーの開口部から挿入されたインキ除去用紙をインキローラ群に当接させた後、駆動装置を所定量回転させてインキ除去用紙をインキローラ群に巻き込ませ、その後駆動装置を上記所定量回転に対して逆方向に回転させてインキ除去用紙をインキローラ群より抜き取るように制御したので、インキ過多時のインキ除去作業を簡易に行うことが出来る。
【発明を実施するための最良の形態】
【００１２】
本発明の実施形態による印刷機について図１乃至図４に基づき説明する。図１に概略全体図を示す通り、本実施例に係る印刷機は枚葉オフセット印刷機であり、印刷部である第１ユニット１、第２ユニット２、第３ユニット３、第４ユニット４、第５ユニット５、第６ユニット６を備えており、給紙部７から送られた枚葉紙はこれらの各ユニット１〜６にて印刷され、コーティングユニット２０にてニス等のコーティングが行われた後、排紙部８に排出される。尚、９は印刷された枚葉紙を乾燥するための乾燥装置であり、赤外線熱によるＩＲ乾燥装置や紫外線照射によるＵＶ硬化乾燥装置等が用いられる。また、１６は印刷機を駆動するための駆動装置である。
【００１３】
各ユニット１〜６は、複数のインキローラを有するインキローラ群１０と、版胴１１と、ゴム胴１２と、圧胴１３とをそれぞれ備えている。インキローラ群１０は、それぞれのインキローラが回転、摺接することにより、インキつぼ１０ａに貯留するインキを版胴１１に供給する。尚、符号１４は渡し胴であり、各ユニット１〜６の各圧胴１３間に設けられ、ゴム胴１２と圧胴１３間で印刷された枚葉紙を次のユニットの圧胴１３へ受け渡す機能を有する。
【００１４】
図２に示すように各ユニット１〜６はカバー１５を有しており、該カバー１５はインキローラ群１０や版胴１１等を覆っている。このカバー１５の上部には、インキ除去用紙が挿入される開口部１５ａとガイド１５ｃとが設けられている。ここでインキ除去用紙とは、通常の印刷に使用される枚葉紙である。また、カバー１５の側部にもインキ除去用紙が挿入される開口部１５ｂとガイド１５ｄとが設けられている。従って、インキローラ群を回転させながら開口部１５ａあるいは１５ｂより、ガイド１５ｃあるいは１５ｄに沿ってインキ除去用紙を挿入させることにより、簡易に余分なインキを除去出来るようになっている。
【００１５】
図３は、本発明の実施形態にかかるインキ除去装置の概略ブロック図を示したものであり、印刷機の駆動を行う駆動装置１６、各胴の回転に同期してパルスを発生する、図示しないエンコーダのパルスを検知する位置検出器１７、図示しないインキ除去ボタンを有する操作パネル１８、制御手段１９により構成されている。制御手段１９は演算処理等を行うマイクロプロセッサ１９ａ、データ及び所定のプログラム（演算式あるいはテーブル等）を記憶するＲＯＭ１９ｂ、機械回転数等に関する種々の情報を記憶可能なＲＡＭ１９ｃ、マイクロプロセッサ１９ａと制御手段１９外部に設けられた装置との間における各種信号のやりとりを仲介するインターフェイス１９d等を用いて構成されている。
【００１６】
図４は本発明の実施形態にかかるインキ除去作業が行われる際のフローチャートを示したものである。以下、本実施形態にかかるインキ除去作業について説明する。
【００１７】
まず、印刷機の停止状態で、図２に示すカバー１５の開口部１５ａあるいは１５ｂよりガイド１５ｃあるいは１５ｄに沿ってインキ除去用紙を挿入し、インキローラ群１０にその先端を接触させる（ステップＳ１０１）。次にオペレータが図３の操作パネル１８に設けられているインキ除去ボタンを押すことにより（ステップＳ１０２でＯＮ）、起動ベルが鳴る(ステップＳ１０３）。
【００１８】
そしてオペレータが２回目にインキ除去ボタンを押すことにより（ステップＳ１０４でＯＮ）駆動装置１６が印刷機の通常駆動の方向である印刷機の正転方向に回転し、インキ除去用紙がインキローラ群１０に巻き付けられて余分なインキがインキ除去用紙に付着する（ステップＳ１０５）。エンコーダのパルスを検出する位置検出器１７が予め設定された回転量を検出するまでは駆動装置１６は正転回転を続け（ステップＳ１０６）、所定の回転量に達すると駆動装置１６は停止する（ステップＳ１０７）。この状態で、インキ除去用紙の後端は開口部１５ａあるいは１５ｂよりも若干突出している状態となるよう設定されており、インキローラ群１０にインキ除去用紙が完全に入り込んでしまい、取り出せなくなることがないようになっている。具体的には、長さ４５０ｍｍのインキ除去用紙の設定巻き込み量は約４００ｍｍであり、この状態でインキ除去用紙は開口部１５ａ、１５ｂから約５０ｍｍ突出している。
【００１９】
再度オペレータがインキ除去ボタンを押す（３回目、ステップＳ１０８）と駆動装置１６は上記正転回転とは逆方向の回転を開始し（ステップＳ１０９）、正転回転した量より少し多めに回転したところで（ステップＳ１１０）駆動装置１６は停止する(ステップＳ１１１）。そしてオペレータは余分なインキが付着したインキ除去用紙を開口部１５ａあるいは１５ｂより取り除く(ステップＳ１１２）。この逆転回転の量を正転回転の量よりも少し多めにしているのは、確実にインキ除去用紙を取り除けるようにするためである。
【００２０】
本実施例においては、カバー１５に２箇所の開口部１５ａ、１５ｂが設けられているが、開口部は１つでもよい。または複数の開口部を選択的に用いてもよい。また、インキ除去用紙をインキローラ群１０に巻きつかせる際、印刷機の通常駆動の方向である正転方向に回転させ、インキ除去用紙を取り除く際、逆転方向に回転させていたが、逆転でインキローラ群１０に巻きつかせて、正転でインキ除去用紙を取り除くようにすることもできる。また、各胴の回転検出にあたってエンコーダを用いていたが、これに代えて近接スイッチ等を用いることもできる。また、本実施例ではインキ除去用紙の挿入に際して片手でインキ除去用紙を持ったまま挿入し、もう片方の手でインキ除去ボタンを押してインキローラ部１０に巻きつける必要があるが、このインキローラ部１０への巻きつけについて、インキ除去ボタンを用いず、開口部１５ａあるいは１５ｂにインキ除去用紙挿入を検知する検知スイッチ（マイクロスイッチやセンサ等）で置き換えてもよい。具体的には図４のフローチャートで、ステップＳ１０２、Ｓ１０４の工程を省き、インキ除去用紙挿入を検知スイッチで検知すると、起動ベルが鳴り駆動装置１６が正転を開始する（ステップＳ１０５）やり方である。挿入するインキ除去用紙が大きい場合は両手でインキ除去用紙を挿入した方が作業しやすい場合があるので、こうすることにより容易に作業を行うことができる。
【００２１】
本発明にかかるインキローラ群を有する印刷機におけるインキ除去装置及びインキ除去方法は、上述した実施の形態に限定されず、特許請求の範囲で記載した範囲で種々の変形や改良が可能である。例えば、本実施の形態においては、枚葉オフセット印刷機であったが、これに限定されず、インキローラ群を有する印刷機であればよく、例えば、ウェブオフセット印刷機であってもよい。
【００２２】
また、本実施の形態においては、インキ除去用紙は通常使用される印刷用紙であったが、これに限定されず、例えば、通常の印刷用紙よりも破れにくく、洗浄により複数回使用可能なインキ除去専用シートを用いてもよい。
【産業上の利用可能性】
【００２３】
本発明に係る、インキローラ群を有する印刷機におけるインキ除去装置及びインキ除去方法は、インキローラ群を有する印刷機において極めて有用である。
【図面の簡単な説明】
【００２４】
【図１】本実施形態にかかる枚葉オフセット印刷機の概略側面断面図。
【図２】図１の枚葉オフセット印刷機の要部拡大図。
【図３】本実施形態にかかるインキ除去装置の概略ブロック図。
【図４】インキ除去作業が行われる際のフローチャート。
【符号の説明】
【００２５】
１０    インキローラ群
１１    版胴
１５    カバー
１５ａ、１５ｂ  開口部
１５ｃ、１５ｄ  ガイド
１６    駆動部
１７    位置検出器
１８    操作パネル
１９    制御手段
【図１】
2007229970.tif 000003
【図２】
2007229970.tif 000004
【図３】
2007229970.tif 000005
【図４】
2007229970.tif 000006